(57)【要約】【課題】  広域を対象とした防犯用の情報収集システムを安価に構築することができる光ケーブル接続用クロージャを得る。【解決手段】  光ファイバ心線を架空で相互接続する光ケーブル収容部１５をケース本体１３の内部に装備した光ケーブル接続用クロージャ１１において、ケース本体１３内部に、ケース本体１３に形成した窓部２４から外部を撮影する撮影機材２６を装備したことで、光ケーブル接続用クロージャ１１の設置箇所である歩道等の状況を示す映像を収集する情報収集システムを安価に構築することが可能になる。【選択図】        図２
2008262127.tif 000002
【特許請求の範囲】
【請求項１】
光ファイバ心線を架空で相互接続する光ケーブル収容部をケース本体の内部に装備した光ケーブル接続用クロージャであって、
前記ケース本体内部に、前記ケース本体の外部を撮影する撮影機材が装備されたことを特徴とする光ケーブル接続用クロージャ。
【請求項２】
前記撮影機材に給電する光電変換装置が前記ケース本体に配設されていることを特徴とする請求項１に記載の光ケーブル接続用クロージャ。
【請求項３】
前記撮影機材が撮影した映像情報が、前記光ケーブル収容部に収容された光ファイバ心線を介して伝達可能に構成されていることを特徴とする請求項１又は２に記載の光ケーブル接続用クロージャ。
【発明の詳細な説明】
【技術分野】
【０００１】
本発明は、光ファイバ心線を架空で相互接続する光ケーブル接続用クロージャに関し、特に屋外情報収集システムとして活用可能に改良された光ケーブル接続用クロージャに関する。
【背景技術】
【０００２】
近年、子供や女性などの弱者を狙った犯罪や事件が急増している。このような犯罪や事件を予防するために、最近の小学校等では、生徒を犯罪や事故から守るため、生徒にＩＣチップを持たせ、生徒の登下校時の通過時間、通過場所等を親に配信する情報収集システムを利用するところも出てきた。
しかし、ＩＣチップによる所在管理、通過点管理では、映像情報が伴わないため、収集情報が乏しく、事件等が発生したときの状況が判らない。
【０００３】
そこで、映像情報を収集できる情報収集システムの設置が望ましく、例えば、商店街や繁華街等では、防犯用のビデオカメラを設置して、ビデオカメラの映像を一定期間保存するシステムが普及している。
また、災害時等に屋外における映像情報を収集可能なシステムとして、屋外埋設用光情報コンセントに撮影機材を接続して、屋外埋設用光情報コンセントに接続されている光ファイバ網を介して映像を収集管理するものも提案されている（例えば、特許文献１参照）。
【０００４】
【特許文献１】特開平８−１４９０８３号公報
【発明の開示】
【発明が解決しようとする課題】
【０００５】
ところが、前述した商店街や繁華街等で設置する防犯用のビデオカメラは、高性能な防水性を有した専用ケースにビデオカメラ本体を収容したもので、しかも、カメラ設置用のポール等の支持構造物も建設しなければならないことが多いため、カメラ一基当たりの配備コストが高額になる。
【０００６】
また、商店街や繁華街等における防犯用のビデオカメラの場合は、設置数が少なく、スポット的に情報収集するもので、例えば犯人等の逃避ルート等を解明するために広域で情報収集することができないため、効力が制限された。
【０００７】
また、屋外埋設用光情報コンセントに撮影機材を接続する情報システムの場合は、事件や災害等が発生した時に、発生地点の近くにある屋外埋設用光情報コンセントに撮影機材を接続して、以後の状況等を情報収集するもので、常設の情報収集システムではないため、突然に発生する事件等の発生時の映像等を収集する用途には不備で、防犯等の用途には不向きであった。
【０００８】
一方、近年は、インターネット通信の普及に伴い、加入者宅まで直接光ファイバを引き込む形態であるＦＴＴＨ（Fiber To The Home）が急速な普及を示しており、加入者宅に引き込む光ファイバを架空の光ファイバケーブルに接続する光ケーブル接続用クロージャの設置箇所が急増している。
図４は、その光ケーブル接続用クロージャ１の設置形態を示したものである。
この光ケーブル接続用クロージャ１は、防水性や耐候性を備えた筒状構造のケースで、加入者宅の近くで電柱２等により支持された架空の吊線３に吊持されており、その内部では、架空の光ケーブル５から必要心数（１〜２心／加入者宅）が引き落とされて、加入者宅に引き込むドロップケーブルが接続される。
【０００９】
このような光ケーブル接続用クロージャ１は、歩道等の脇に立設された電柱２の近くに設置されるため、もし、情報収集システムとして利用可能であれば、歩道等の上で起こる状況の収集に極めて有効である。
また、光ケーブル接続用クロージャ１は、広域に渡って配備された常設設備であるため、もし、情報収集システムとして利用可能であれば、広域の情報をリニアタイムで収集可能になり、防犯等に極めて有効である。
しかも、光ケーブル接続用クロージャ１は、防水性や耐候性を備えた筒状構造のケースであるため、該光ケーブル接続用クロージャ１を撮影機材の収容ケースとして利用すれば、撮影機材は専用の防水ケース等の装備が不要になり、大幅なコスト削減が期待できる。
しかし、従来の光ケーブル接続用クロージャは、そのような映像情報の収集システムとしての利用は、全く配慮されていなかった。
【００１０】
本発明の目的は上記課題を解消することに係り、映像情報を広域に渡って効率良く収集することができ、広域を対象とした防犯用の情報収集システムを安価に構築することができる光ケーブル接続用クロージャを提供することを目的とする。
【課題を解決するための手段】
【００１１】
（１）上記した課題を解決するために、本発明による光ケーブル接続用クロージャは、光ファイバ心線を架空で相互接続する光ケーブル収容部をケース本体の内部に装備した光ケーブル接続用クロージャであって、
前記ケース本体内部に、前記ケース本体の外部を撮影する撮影機材が装備されたことを特徴とする。
【００１２】
（２）また、上記（１）に記載の光ケーブル接続用クロージャは、前記撮影機材に給電する光電変換装置が配設されていることを特徴としても良い。
【００１３】
（３）また、上記（１）又は（２）に記載の光ケーブル接続用クロージャは、前記撮影機材が撮影した映像情報が、前記光ケーブル収容部に収容された光ファイバ心線を介して伝達可能に構成されていることを特徴としても良い。
【発明の効果】
【００１４】
本発明による光ケーブル接続用クロージャによれば、常設設備であるため、光ケーブル接続用クロージャの設置箇所である歩道等の状況を内蔵の撮影機材によって常時監視でき、また、光ケーブル接続用クロージャは広域に配備されるため、それぞれの光ケーブル接続用クロージャから映像情報を収集すれば、映像情報を広域に渡って効率良く収集することができる。
しかも、光ケーブル接続用クロージャは、野外設置を前提としていて、高度な防水性、耐光性を有しているため、その内部に装備する撮影機材は、高価になる防水ケースを省略したり、防水性能を軽減することができる。
【発明を実施するための最良の形態】
【００１５】
以下、本発明に係る光ケーブル接続用クロージャの好適な実施の形態について、図面を参照して詳細に説明する。
図１は本発明に係る光ケーブル接続用クロージャの一実施の形態の外観斜視図、図２は図１に示した光ケーブル接続用クロージャのケース本体内部の構成を示す斜視図、図３は図１に示した光ケーブル接続用クロージャを架空に設置した状態の斜視図である。
【００１６】
この一実施の形態の光ケーブル接続用クロージャ１１は、前面を開口したケース本体（クロージャ本体）１３と、該ケース本体１３の前面開口を開閉可能に覆う蓋体１４とから構成されており、ケース本体１３の内部には、光ファイバ心線を架空で相互接続する処理空間としての光ケーブル収容部１５が装備されている。
【００１７】
ケース本体１３の両端部には、架空の光ケーブル５やドロップケーブル７を導出入させるためのケーブル導出入部１７が装備されている。
ケーブル導出入部１７は、挿通するケーブルに密着するゴム材料で形成されていて、ケーブルを伝ってケース本体１３内に雨水等が進入することを防止する。
また、ケース本体１３と蓋体１４との合わせ部には、適宜、パッキンが装備されたり、あるいはそれぞれの縁部が重なり合う構造を採ったりことにより、高度な防水性や耐光性が確保されている。
【００１８】
ドロップケーブル７は、加入者宅に引き込む光ファイバ心線であり、ケース本体１３内で、光ケーブル５を構成する光ファイバ心線５ａに接続される。
ケース本体１３内には、支持構造物となるフレーム１６が固定装備されていて、該フレーム１６に架空の吊線３（図４参照）への固定部を設けることにより、吊線３に吊持されるようになっている。
【００１９】
本実施の形態の光ケーブル接続用クロージャ１１は、ケース本体１３内の略中央部分に、光ファイバ心線５ａとドロップケーブル７との接続部を収容する接続部収容トレイ２１が多段に積層装備される構成になっており、また、両端のケーブル導出入部１７付近には、導出入するケーブルを把持するケーブル把持部２２が装備されている。
【００２０】
ケース本体１３内において、接続部収容トレイ２１の両側は、空きスペースを確保し易い。
本実施の形態の場合、この空きスペースを利用して、接続部収容トレイ２１の両側にそれぞれ、ケース本体１３に形成した窓部２４から外部を撮影する撮影機材２６が装備されている。
【００２１】
窓部２４は、本実施の形態の場合は、ケース本体１３の底部に形成された円形の開口を透明なカバーで覆った構成であるが、撮影機材２６自体が防水性を有する場合には、透明なカバーは省略して、ケース本体１３と蓋体１４との間の微細な隙間を窓部２４として活用するようにしても良い。
【００２２】
撮影機材２６は、動画撮影するディジタルビデオカメラと、このビデオカメラの撮影した映像情報を光信号として出力する信号変換装置とから構成されていて、信号変換装置の出力端子には、光ケーブル収容部１５に収容された光ファイバ心線５ａが接続され、撮影機材２６が撮影した映像情報が該光ファイバ心線５ａを介して、該光ファイバ心線５ａが所属する光ファイバ網に接続されている遠隔地の情報管理装置に伝達可能に構成されている。
撮影機材２６は、ケース本体１３内のフレーム１６に固定装備される。
【００２３】
また、ケース本体１３の外面には、撮影機材２６に給電する光電変換装置２８が配設されている。
この光電変換装置２８は、例えば、太陽光を受けて発電するソーラーパネルと、このソーラーパネルの発電を蓄電するリチウムイオン電池等の二次電池とから構成されていて、二次電池から撮影機材２６に給電を行うことで、夜間等でも、映像情報の収集が可能になっている。
【００２４】
以上に説明した光ケーブル接続用クロージャ１１によれば、歩道脇上空への常設設備であるため、光ケーブル接続用クロージャ１１の設置箇所である歩道等の状況を内蔵の撮影機材２６によって常時監視でき、また、光ケーブル接続用クロージャ１１は広域に配備されるため、それぞれの光ケーブル接続用クロージャ１１から映像情報を収集すれば、映像情報を広域に渡って効率良く収集することができる。
【００２５】
しかも、光ケーブル接続用クロージャ１１は、野外設置を前提としていて、高度な防水性、耐光性を有しているため、その内部に装備する撮影機材２６は、高価になる防水ケースを省略したり、防水性能を軽減することができ、また一般の防犯用ビデオカメラを設置する場合のようにビデオカメラを支持するポール等の支持構造物の建設も不要になるため、撮影機材２６一基当たりの配備コストを大幅に軽減することができる。
従って、広域を対象とした防犯用の情報収集システムを安価に構築することができる。
【００２６】
また、上記実施の形態の光ケーブル接続用クロージャ１１では、撮影機材２６に給電する光電変換装置２８がケース本体１３の外面に配設されている。
そのため、撮影機材２６への給電を各光ケーブル接続用クロージャが自給で賄うことができ、多数の光ケーブル接続用クロージャ１１のために給電網を布設する必要がなく、情報収集システムとしての構築コストを低減することができる。
【００２７】
また、上記実施の形態の光ケーブル接続用クロージャ１１では、撮影機材２６が撮影した映像情報が、光ケーブル収容部１５に収容された光ファイバ心線５ａを介して、該光ファイバ心線５ａが所属する光ファイバ網に接続されている情報管理装置に伝達可能に構成されている。
そのため、新たに情報伝送用の通信網を構築する必要がなく、安価に、且つ広域に、情報収集システムを構築するができ、例えば犯罪が発生した場合にその犯人等の逃避ルート等を解明するために広域で情報収集を容易に実現することができる。なお、撮影機材２６が撮影した映像情報は、光ファイバ心線５ａを介して伝達するほかに、光ケーブル接続用クロージャ１１内に収納した記録媒体に記録し、所定周期で映像情報を更新するようにしてもよい。
【図面の簡単な説明】
【００２８】
【図１】本発明に係る光ケーブル接続用クロージャの一実施の形態の外観斜視図である。
【図２】図１に示した光ケーブル接続用クロージャのケース本体内部の構成を示す斜視図である。
【図３】図１に示した光ケーブル接続用クロージャを架空に設置した状態の斜視図である。
【図４】既存の光ケーブル接続用クロージャの設置状態を示す概略斜視図である。
【符号の説明】
【００２９】
５  光ケーブル
５ａ  光ファイバ心線
７  ドロップケーブル
１１  光ケーブル接続用クロージャ
１３  ケース本体
１４  蓋体
１５  光ケーブル収容部
１６  フレーム
１７  ケーブル導出入部
２４  窓部
２６  撮影機材
２８  光電変換装置
【図１】
2008262127.tif 000003
【図２】
2008262127.tif 000004
【図３】
2008262127.tif 000005
【図４】
2008262127.tif 000006